(57)【特許請求の範囲】
【請求項１】
胴本体もしくは肩部材によって形成される肩部上面の裏面に磁石収容筒を形成し、該磁石収容筒に磁石を収容するとともに、磁性を有する金属板で形成した肩カバーを肩部上面に着脱自在に装着することを特徴とする炊飯器。
【請求項２】
肩部上面の裏面に形成する磁石収容筒は、釜の収容スペースである肩部の内方に開口させておき、収容スペース側から磁石収容筒に装着した磁石を収容スペース部分に配置する内胴によって抜け止めすることを特徴とする請求項１記載の炊飯器。
【発明の詳細な説明】
【０００１】
【発明の属する技術分野】
この発明は炊飯器、特に蓋を開けたときに露出する肩部の態様に関する発明である。
【０００２】
【従来の技術】
従来の炊飯器のうち、胴本体が合成樹脂材で形成されるものでは胴本体の上端部に肩部が形成されている。胴が金属板で形成されるものでは胴の上端に肩部材を装着して肩部が形成されている。肩部上面の中心部には着脱自在に釜を装着し、背部を支点として開閉する蓋によって、釜の上面及び肩部上面を覆うようにしている。すなわち、蓋を開けたときには胴本体もしくは肩部材によって形成される肩部上面が常に露出するものである。
【０００３】
【発明が解決しようとする課題】
釜の上面は蓋によって密閉され、炊飯時の蒸気は蓋の内部を通って器外に排出されるように設計されているが、蓋の密閉が不十分なときなどに蒸気やおねばが蓋と肩部の間に漏れ出し、肩部上面を汚すことがある。また、炊飯時以外にも釜内のご飯をすくい取るときなどに、ご飯がこぼれるなどの理由で肩部上面を汚すことがある。肩部上面は、ほこりが溜まり易い部分でもあるので常に清潔に洗浄しておくのが望ましい。しかしながら、従来の炊飯器では電気製品である炊飯器の一部であることから、洗浄が困難でせいぜい拭き取るお手入れをする程度で、必ずしも清潔に保たれていないというのが実情である。
【０００４】
また、肩部上面には蓋のヒンジ部近傍など、拭き取ること自体が困難な部分もあり、ほこりや汚れが付着したまま使用されていることが多い。
このような実情に鑑み、本発明は汚れ易い肩部上面を洗浄することが可能で、常に清潔な状態にお手入れをすることができる、炊飯器の構造を実現しようとするものである。
【０００５】
【課題を解決するための手段】
上記目的を達成するため、本発明は胴本体１もしくは肩部材によって形成される肩部上面1aに、別に形成した肩カバー５を着脱自在に装着する。これにより、必要に応じて肩カバー５を取り外して洗浄することが可能となる。
肩カバー５を肩部上面1aに着脱自在に装着するに際し、本発明は、胴本体１もしくは肩部材によって形成される肩部上面1aの裏面に磁石収容筒12を形成しておき、この磁石収容筒12に磁石11を収容するとともに、磁性を有する金属板、例えばフェライト系、マルテンサイト系ステンレス鋼板などで形成した肩カバー５を肩部上面1aに着脱自在に装着する。
【０００６】
肩部上面1aの裏面に形成する磁石収容筒12は、釜６の収容スペース７である肩部の内方に開口させておき、収容スペース７側から磁石収容筒12に装着した磁石11を収容スペース部分に配置する内胴15によって抜け止めとすることができる。
【０００７】
【発明の実施の形態】
以下、本発明に係る炊飯器の実施形態を、添付の図面に基づいて説明する。
図１及び図２は炊飯器全体の斜視図、図３ないし図５は肩カバーの平面形状の変形例を示す平面図である。
【０００８】
図１に示す炊飯器は、合成樹脂製の胴本体１と底体２によって本体を形成し、胴本体１によって形成される肩部の背部に開閉自在の蓋３を支持する一般的な態様の炊飯器であって、本体正面に操作パネル４を配置している。胴本体１の肩部上面1aには、その全面にわたる大きさの肩カバー５を着脱自在に装着し、中心部には釜６の収容スペースを設け、釜６を装着した状態で蓋３を閉じると釜６の上面が密閉されるものである。図１に示す肩カバー５の形状は図３と対応させてあり、図１では実線で、図３では斜線を施して表している。
【０００９】
図１及び図２に示す肩カバー５の形状は本体の平面形状のうち、正面の操作パネル４が配置される領域と、釜６の収容スペース７と、蓋３を軸支するヒンジスペース８を除く肩部上面1a全体に一体の肩カバー５を着脱自在に装着したものである。この実施形態では、釜６を取り外した状態で肩カバー５全体を取り外して洗浄することができる。
【００１０】
炊飯器には取り扱い易いように釜６に取っ手９を取り付けたものがある。このような取っ手９付の釜６を使用する炊飯器に対する実施形態を図２及び図４に示している。
取っ手９を取り付けた釜６を使用する炊飯器では、取っ手９が嵌り込んで蓋３を閉じることができるように、肩部上面に切欠部10を設けておく必要がある。したがって、肩部上面1aは中央部に切欠部10を形成する必要があることで、全体が同じ高さで連続しなくなる。そこで、肩カバー５を前半部肩カバー5aと、後半部肩カバー5bの二つの肩カバーで構成し、前半部肩カバー5aと後半部肩カバー5bの平面形状を、それぞれ先に述べた肩カバー５の該当部分の平面形状と同じに形成している。
【００１１】
以上述べたように、肩部上面1aを着脱自在の肩カバー５で覆うことによって、肩カバー５を外してこれを容易に洗浄することができる。そのため、従来は十分に拭き取るなどの掃除や洗浄ができないため、汚れたまま使用されることが多かった部分を清潔に洗浄することができるようになる。なお、図２及び図４に示す実施形態では、前半部肩カバー5aと後半部肩カバー5bを別々に取り扱うため、必要に応じて汚れた部分のみを取り外して洗浄することができる。
【００１２】
図５は、図４に示す肩カバーのうち、後半部肩カバー5bのみを使用する実施形態である。このように、肩カバー５は必ずしも肩部の上面全体に装着する必要はない。すなわち、肩部上面のうちヒンジスペースのある後半部が最も汚れ易い領域あるいは拭きにくい領域であることから、後半部肩カバー5bのみを着脱自在に装着する形態も実用的である。
【００１３】
炊飯器の肩部上面に対して肩カバー５を着脱自在に装着するには、肩カバー５全体を、磁性を有する金属板、例えばフェライト系ステンレス鋼板やホーロー引き鋼板などによって形成し、図６に示すように合成樹脂材で形成する肩部の裏面に配置した磁石11で肩カバーを吸引保持させるようにする。すなわち、肩部上面1aの裏面に形成した磁石収容筒12に磁石11を収容しておき、この磁石によって肩部上面1aに配置する肩カバー５を吸引保持させる。
【００１４】
前記、磁石収容筒12は、肩部の内方、換言すれば釜６の収容スペース方向に開口させておき、収容スペースに装着する内胴15によって抜け止めとしておくと、不用意に磁石が脱落することを防止することができる。また、磁石11を所定位置に保持する手段として、肩部に磁石収容筒を設けるのではなく、別の部材によって押さえ込んで支持させるものであってもよい。この場合、別の目的で装着される部品、例えば圧力タイプの炊飯器に見られる補強部品などを兼用させることによって部品点数の増加を防止することができる。
【００１５】
図６に示す実施形態では、肩部上面1aを平面形状に形成しているが、図７に示すように肩部上面に凹部が形成される形状であってもよい。この場合、肩カバーの凹み部分などにおいて、磁石11にできるだけ接近する一定寸法の範囲を確保することによって、肩カバー５を保持することができる吸引力を確保しておくことが望まれる。
【００１６】
なお、図１及び図２に示す実施形態は、胴本体が合成樹脂材であって、胴本体の上部が肩部となる炊飯器について図示しているが、炊飯器には胴を金属板で形成するものもある。このような炊飯器にあっては、胴の上端に合成樹脂材で別に成型した肩部材を装着しているため、肩カバー５は肩部材の肩部上面に装着することになる。
【００１７】
【発明の効果】
請求項１記載の本発明炊飯器によれば、最も汚れ易い肩部上面に金属板で形成した肩カバーを着脱自在に装着するため、肩カバーを取り外して洗浄することにより常に清潔に保つことができ清掃性を向上することができる。金属製の肩カバーは、磁石の作用によって容易に着脱することができるとともに、肩部上面の裏面に形成した磁石収容筒に磁石を収容することによって容易に組立てることができる。
【００１８】
請求項２記載の発明によれば、肩部上面の裏面に形成した磁石収容筒に磁石を収容し、釜の収容スペースに内胴を装着することによって、磁石収容筒に収容した磁石が不用意に脱落するのを防止することができる。
【００１９】
【図面の簡単な説明】
【図１】  肩部上面の全体を一つの肩カバーで覆う炊飯器全体の斜視図、
【図２】  肩部上面を二つの肩カバーで覆う炊飯器全体の斜視図、
【図３】  図１に示す炊飯器の蓋を省略した平面図、
【図４】  図２に示す炊飯器の蓋を省略した平面図、
【図５】  肩部上面の後半部のみを肩カバーで覆う実施形態を示す、蓋を省略した炊飯器の平面図、
【図６】  炊飯器肩部の、肩カバー装着部分の縦断面図、
【図７】  炊飯器肩部の別の実施形態を示す、肩カバー装着部分の縦断面図。
【符号の説明】
１…胴本体、  1a…肩部上面、  ２…底体、  ３…蓋、  ４…操作パネル、  ５…肩カバー、  5a…前半部肩カバー、  5b…後半部肩カバー、  ６…釜、  ７…収容スペース、  ８…ヒンジスペース、  ９…取っ手、  10…切欠部、  11…磁石、  12…磁石収容筒、  15…内胴。
【図１】
0003892765.tif 000002
【図２】
0003892765.tif 000003
【図３】
0003892765.tif 000004
【図４】
0003892765.tif 000005
【図５】
0003892765.tif 000006
【図６】
0003892765.tif 000007
【図７】
0003892765.tif 000008